(57)【要約】    【課題】構造を簡素化でき、しかも小型の防水コネクタを提供すること。    【解決手段】ソケットハウジング１６のコネクタ連結方向Ｙの中間部にシール部材を嵌めるための保持溝２０を有する。ソケットハウジング１６は保持溝２０を挟んだ両側に第１および第２の部分２１，２２を含む。第１の部分２１は保持溝２０よりコネクタ連結方向Ｙ側にあり、保持溝２０の周側壁２３を含む。周側壁２３は矩形をなし、その矩形の四隅がＲ状部２９に構成される。第１の部分２１は互いに分岐する断面角形の筒状部２４を含む。筒状部２４にコネクタ連結方向Ｙに沿って延びる案内部としての第１〜第３のリブ２５，２６，２８を設ける。第１および第３のリブ２８は上記矩形の四隅の各Ｒ状部２９に隣接する部分にそれぞれ連なる。【選択図】  図５
2005222816.tif 000002
【特許請求の範囲】
【請求項１】
嵌合凹部を有する第１のハウジング、および第１のハウジングの嵌合凹部の底壁により保持された第１のコンタクトを含む第１のコネクタと、
一部が上記嵌合凹部に嵌合する第２のハウジング、および第２のハウジングにより保持された第２のコンタクトを含む第２のコネクタと、
第２のハウジングのコネクタ連結方向の中間部外周に形成された環状の保持溝に保持され、第１のハウジングの嵌合凹部に嵌め入れられて嵌合凹部内を封止するための環状のシール部材とを備え、
第２のハウジングは保持溝を挟んだ両側に配置される第１および第２の部分を含み、第２のハウジングの第１の部分は保持溝よりもコネクタ連結方向側に配置され、
第２のハウジングの第１の部分は、保持溝の一側を区画する周側壁と、周側壁よりもコネクタ連結方向側に延び互いに分岐して左右に並ぶ複数の断面矩形の筒状部とを含み、
筒状部は、第１のハウジングの嵌合凹部にシール部材の挿入に先立って挿入されて嵌合することで嵌合凹部へのシール部材の挿入を案内する案内部を含むことを特徴とする防水コネクタ。
【請求項２】
請求項１において、上記案内部は、各筒状部の外周面に形成されてコネクタ連結方向に延びるリブを含み、案内部としてのリブは、筒状部の外周面のうち相対向する面を除く面に形成されるリブを含み、上記相対向する面を除く面に形成されるリブの頂部は、上記保持溝を区画するための周側壁の頂部と面一をなすことを特徴とする防水コネクタ。
【請求項３】
請求項２において、コネクタ連結方向と反対方向に沿って第２のハウジングをみたときに、上記保持溝を区画するための周側壁は矩形をなし、上記矩形の四隅はＲ状部に構成され、上記案内部としてのリブは上記矩形の四隅の各Ｒ状部に隣接する部分にそれぞれ連なるリブを含むことを特徴とする防水コネクタ。
【請求項４】
請求項２又は３において、上記案内部としてのリブは、第２のハウジングが前後逆に第１のハウジングの嵌合凹部に挿入されることを防止するための逆差し防止用のリブを含むことを特徴とする防水コネクタ。
【請求項５】
請求項４において、上記第１のハウジングは嵌合凹部の底壁に設けられた規制リブを含み、規制リブは第２のハウジングの逆差し時に第２のハウジングの逆差し防止用のリブの先端部を受けて逆差しを防止するための受け部を含み、嵌合凹部の底壁からの受け部の高さは第１のコンタクトの高さよりも高いことを特徴とする防水コネクタ。
【請求項６】
請求項１乃至５の何れか１つにおいて、上記第１のハウジングは、嵌合凹部の底壁から延設されて第１のコンタクト間を互いに仕切ると共に第２のコネクタの相隣接する筒状部間に嵌め入れられる仕切り壁を含み、嵌合凹部の底壁からの仕切り壁の高さは第１のコンタクトの高さよりも高いことを特徴とする防水コネクタ。
【請求項７】
請求項１乃至６の何れか１つにおいて、上記第２のハウジングの第２の部分の前面に設けられた弾性アームを備え、弾性アームはロック用の係止爪を含み、
第１のハウジングは嵌合凹部の入口に対応して四角環状をなす枠を含み、この枠は上記弾性アームの係止爪に係止して両コネクタの抜け止めを達成するためのロック部を含むことを特徴とする防水コネクタ。
【請求項８】
請求項１乃至７の何れか１つにおいて、上記第２のハウジングの第２の部分は、各第２のコンタクトに端部が圧着された電線を挿通させる四角環状をなす枠を含み、
この枠の内周面と電線との間を封止する板状パッキンをさらに備え、板状パッキンは各電線を挿通させる弾力的に拡開可能な挿通孔を含むことを特徴とする防水コネクタ。
【請求項９】
請求項１乃至８の何れか１つにおいて、上記環状のシール部材は環状の外向突起および内向突起を外周および内周に交互に設けて断面波形形状をなす弾性部材を含むことを特徴とする防水コネクタ。
【発明の詳細な説明】
【技術分野】
【０００１】
本発明は、互いに連結される第１および第２のコネクタを備える防水コネクタに関する。
【背景技術】
【０００２】
この種のコネクタは、比較的軽度の防水性を要求される用途、例えば、トイレの温水洗浄便座等に用いられる。
通例、雄コネクタの筒状のハウジングの先端部の外周に環状の防水パッキンを配置しており、したがって、雄コネクタを雌コネクタの筒状のハウジングに挿入するときには、まず最初に、防水パッキンが挿入されることになる。
【０００３】
この場合、両コネクタのハウジング間の嵌合精度をあまり厳しくすると、防水パッキンの挿入が困難になるので、ハウジング間の嵌合精度は緩めに設定される。
しかしながら、ハウジング間の位置決めが悪いと、雄コネクタのハウジングの連結側端面が雌コネクタのコンタクト（例えばポストピン）に突き当たり、両コネクタのスムーズな嵌合動作が達成されないおそれがある。
【０００４】
一方、雄コネクタのハウジングのコネクタ連結方向の先端部を内筒と外筒とを有する二重筒構造とし、内筒の外周に環状の防水パッキンを配置することが提案されている（例えば特許文献１）。
この場合、雄コネクタを相手方の雌コネクタに連結するとき、雌コネクタの筒状のハウジングが外筒と防水パッキンとの間に挿入される。このとき、雌コネクタのハウジングの外周を外筒の内周に嵌合させることで、両コネクタのハウジング同士を互いに位置決めしし、ハウジング同士の嵌合精度を高めている。
【特許文献１】特開平７−１４２１１６号公報
【発明の開示】
【発明が解決しようとする課題】
【０００５】
しかしながら、二重筒構造を採用するため、構造が複雑となり、コネクタが大型化するという問題がある。
本発明は上記課題に鑑みてなされたものであり、構造を簡素化でき、しかも小型の防水コネクタを提供することを目的とする。
【課題を解決するための手段】
【０００６】
上記目的を達成するため、本発明は、嵌合凹部を有する第１のハウジング、および第１のハウジングの嵌合凹部の底壁により保持された第１のコンタクトを含む第１のコネクタと、一部が上記嵌合凹部に嵌合する第２のハウジング、および第２のハウジングにより保持された第２のコンタクトを含む第２のコネクタと、第２のハウジングのコネクタ連結方向の中間部外周に形成された環状の保持溝に保持され、第１のハウジングの嵌合凹部に嵌め入れられて嵌合凹部内を封止するための環状のシール部材とを備え、第２のハウジングは保持溝を挟んだ両側に配置される第１および第２の部分を含み、第２のハウジングの第１の部分は保持溝よりもコネクタ連結方向側に配置され、第２のハウジングの第１の部分は、保持溝の一側を区画する周側壁と、周側壁よりもコネクタ連結方向側に延び互いに分岐して左右に並ぶ複数の断面矩形の筒状部とを含み、筒状部は、第１のハウジングの嵌合凹部にシール部材の挿入に先立って挿入されて嵌合することで嵌合凹部へのシール部材の挿入を案内する案内部を含むことを特徴とするものである。
【０００７】
本発明では、両コネクタの連結動作の初期に、案内部を嵌合凹部に嵌合させることにより両ハウジングを互いに位置決めすることができ、この位置決め状態で、シール部材を嵌合凹部内にスムーズに挿入することができると共に両コネクタのコンタクト同士をスムーズに連結することができる。従来の二重筒構造を採用しない簡素な構造にて、小型化を達成することができる。
【０００８】
また、本発明において、上記案内部は、各筒状部の外周面に形成されてコネクタ連結方向に延びるリブを含み、案内部としてのリブは、筒状部の外周面のうち相対向する面を除く面に形成されるリブを含み、上記相対向する面を除く面に形成されるリブの頂部は、上記保持溝を区画するための周側壁の頂部と面一をなす場合がある。この場合、シール部材を保持溝に嵌めるために筒状部に被せて移動させるときに、筒状部の案内部としてのリブのみがシール部材の内周に当接することになり、シール部材への接触面積を減らせるので、シール部材を移動させ易い。しかも、リブの頂部が保持溝の一側を区画する周側壁の頂部と面一をなすので、シール部材をリブにより案内しながら引っ掛かることなくスムーズに保持溝に嵌め入れることができ、組み立て性が良い。このようにシール部材を第２のコネクタに装着したユニットを第１のコネクタの嵌合凹部に挿入すれば良いので、組み立て易い。
【０００９】
また、本発明において、コネクタ連結方向と反対方向に沿って第２のハウジングをみたときに、上記保持溝を区画するための周側壁は矩形をなし、上記矩形の四隅はＲ状部に構成され、上記案内部としてのリブは上記矩形の四隅の各Ｒ状部に隣接する部分にそれぞれ連なるリブを含む場合がある。この場合、シール部材を保持溝に嵌め入れる作業がより容易になる。
【００１０】
また、本発明において、上記案内部としてのリブは、第２のハウジングが前後逆に第１のハウジングの嵌合凹部に挿入されることを防止するための逆差し防止用のリブを含む場合がある。この場合、シール部材の装着を案内するためのリブが第２のコネクタの逆差しを防止するためのリブを含むので、構造を簡素化することができる。
また、本発明において、上記第１のハウジングは嵌合凹部の底壁に設けられた規制リブを含み、規制リブは第２のハウジングの逆差し時に第２のハウジングの逆差し防止用リブの先端部を受けて逆差しを防止するための受け部を含み、嵌合凹部の底壁からの受け部の高さは第１のコンタクトの高さよりも高い場合がある。この場合、逆差しによる第１のコンタクトの変形を確実に防止することができる。
【００１１】
また、本発明において、上記第１のハウジングは、嵌合凹部の底壁から延設されて第１のコンタクト間を互いに仕切ると共に第２のコネクタの相隣接する筒状部間に嵌め入れられる仕切り壁を含み、嵌合凹部の底壁からの仕切り壁の高さは第１のコンタクトの高さよりも高い場合がある。この場合、仕切り壁によって第１のコンタクトの不必要な変形を防止することができる。仕切り壁によって隣接する第１のコンタクト間の沿面距離を稼ぎ、沿面放電等を確実に防止することができる。
【００１２】
また、本発明において、上記第２のハウジングの第２の部分の前面に設けられた弾性アームを備え、弾性アームはロック用の係止爪を含み、第１のハウジングは嵌合凹部の入口に対応して四角環状をなす枠を含み、この枠は上記弾性アームの係止爪に係止して両コネクタの抜け止めを達成するためのロック部を含む場合がある。この場合、係止爪をロック部に係止させて、両コネクタを防水性が担保される連結状態に確実に維持しておくことができる。
【００１３】
また、本発明において、上記第２のハウジングの第２の部分は、各第２のコンタクトに端部が圧着された電線を挿通させる四角環状をなす枠を含み、この枠の内周面と電線との間を封止する板状パッキンをさらに備え、板状パッキンは各電線を挿通させる挿通孔を含む場合がある。この場合、板状パッキンを用いる簡単な構造により電線通過部分を封止することができる。
【００１４】
また、本発明において、上記環状のシール部材は環状の外向突起および内向突起を外周および内周に交互に設けて断面波形形状をなす弾性部材を含む場合がある。この場合、シール部材の密封性をより高めることができる。
【発明を実施するための最良の形態】
【００１５】
本発明の好ましい実施の形態を添付図面を参照しつつ説明する。
図１は本発明の一実施の形態の防水コネクタの概略斜視図であり、図２は分解斜視図であり、図３は概略断面図である。図１を参照して、本防水コネクタ１は、基板２の表面２ａに実装される第１のコネクタとしてのベースコネクタ３と、電線４の端部に接続される第２のコネクタとしてのソケットコネクタ５とを互いに連結可能に備えている。
【００１６】
図２および図３を参照して、ベースコネクタ３は、嵌合凹部６を有する筒状の第１のハウジングとしてのベースハウジング７と、ベースハウジング７の嵌合凹部６の底壁８により保持された第１のコンタクトとしてのベースコンタクト９とを備える。図３を参照して、ベースコンタクト９は長尺板状をなすポストピンにより構成される。ベースコンタクト９は底壁８を貫通する状態で底壁８に固定されており、底壁８から外部へ突出するリード部９ａを含む。このリード部９ａは、例えば基板２を貫通して基板２の裏面２ｂの導電部に半田付けされる。
【００１７】
図２を参照して、ベースハウジング７は、嵌合凹部６の入口を奥側よりも大径とすることで四角環状をなす入口枠１０を形成している。入口枠１０には、ソケットコネクタ５の後述する片持ち状の弾性アーム１１の係止爪１２に係合して両コネクタ３，５を相互にロックするためのロック部１３が設けられる。
具体的には、ベースハウジング７の前面７ａに対応して前方Ｘへ突出する突出部１４を含む。この突出部１４には矩形をなす開口１５が形成され、これにより、突出部１４の残余の部分がアーチ状をなす。上記のロック部１３は、突出部１４のアーチの上縁に配置される横バーにより構成される。
【００１８】
図２、図３および図４を参照して、ソケットコネクタ５は、一部がベースコネタク３の嵌合凹部６に挿入される筒状の第２のハウジングとしてのソケットハウジング１６と、ソケットハウジング１６により保持され電線４の端部に接続される第２のコンタクトとしてのソケットコンタクト１７と、ベースコネクタ３の嵌合凹部６内に挿入されたソケットハウジング１６と嵌合凹部６の内面との間を封止するためにソケットハウジング１６により保持される環状のシール部材１８と、当該ソケットコネクタ５からの電線４の導出部分を封止するための板状パッキン１９とを備える。
【００１９】
図３を参照して、ソケットコンタクト１７は電線４の被覆部を圧着するためのインシュレーションバレル１７ａと、電線４の皮剥端部である芯線を圧着するためのワイヤーバレル１７ｂと、折り返し片からなる弾性接触部を内蔵する角筒部１７ｃとを順次に備える。ソケットハウジング１６はソケットコンタクト１７の角筒部１７ｃに係合してソケットコンタクト１７の抜け止めを達成するハウジングランス３５を備えている。
【００２０】
シール部材１８は、ソケットハウジング１６のコネクタ連結方向Ｙの中間部の外周に形成された環状の保持溝２０に保持されている。図６を参照して、環状のシール部材１８は例えばゴム等の弾性部材により構成され、環状の外向突起３６と内向突起３７を交互に形成しており、断面波形形状をなしている。これにより、シール部材１８の密封性を格段に向上することができる。ソケットハウジング１６は、保持溝２０（すなわちシール部材１８）をコネクタ連結方向Ｙに挟んだ両側に配置される第１および第２の部分２１，２２を含み、ソケットハウジング１６の第１の部分２１は保持溝２０よりもコネクタ連結方向Ｙ側に配置される。
【００２１】
ソケットハウジング１６の第１の部分２１は、保持溝２０の一側を区画する周側壁２３と、周側壁２３よりもコネクタ連結方向Ｙ側に延び互いに分岐して左右方向Ｚに並ぶ複数の（本実施の形態では一対の）断面矩形の筒状部２４とを含む。一対の筒状部２４間には嵌合溝４１（図７参照）が形成されている。
図５を参照して、各筒状部２４は断面四角環状をなす。図４および図５を参照して、各筒状部２４の前面２４ａおよび後面（図示せず）のそれぞれには、コネクタ連結方向Ｙに沿って延びる第１および第２のリブ２５，２６が形成されている。第２のリブ２６は一対の筒状部２４の互いに近接する側の縁部に配置され、第１のリブ２５は２つの筒状部２４の遠い側の縁部に配置されている。前面２４ａにおいて、第１および第２のリブ２５，２６間には凹部２７が形成されている。後面に関しても同様である。
【００２２】
また、一対の筒状部２４は、互いに遠い側の側面２４ｂにそれぞれ、逆差し防止用の第３のリブ２８をコネクト連結方向Ｙに沿って延びるように形成している。これらの第３のリブ２８は、ソケットハウジング１６が前後逆にベースコネクタ３の嵌合凹部６に挿入されることを防止する働きをする。
前面２４ａおよび後面の第１および第２のリブ２５，２６、並びに上記遠い側の側面２４ｂの第２のリブ２８の頂部（すなわち、筒状部２４の外周面のうち相対向する面を除く面に形成されるリブ２５，２６，２８の頂部）は、上記保持溝２０を区画するための周側壁２３の頂部と面一をなすように連続している。また、第１，第２および第３のリブ２５，２６，２８は、両コネクタ３，５を連結するときに、ベースハウジング７の嵌合凹部６にシール部材１８の挿入に先立って挿入されて嵌合凹部６に嵌合することで嵌合凹部６へのシール部材１８の挿入を案内する案内部を構成している。
【００２３】
また、図５および図９に示すように、コネクタ連結方向Ｙと反対方向に沿ってソケットハウジング１６を見たときに、上記周側壁２３は矩形をなし、その矩形の四隅はＲ状部２９に構成されている。各第１のリブ２５は、上記矩形の四隅の各Ｒ状部２９に隣接する部分にそれぞれ連なっている。
図９を参照して、逆差し防止用の第３のリブ２８は筒状部２４の前後方向のセンターライン３０から所定量オフセットされた位置に配置されている。また、第３のリブ２８も周側壁２３の対応するＲ状部２９に隣接する部分に連なっている。
【００２４】
図３および図４を参照して、ソケットハウジング１６の第２の部分２２は、各ソケットコンタクト１７に端部が圧着された電線４を挿通させる四角環状をなす入口枠３１をそなえる。上記の板状パッキン１９はゴム等の弾性体により構成される。板状パッキン１９は入口枠３１の内周面３１ａに弾力的に嵌合する外周面１９ａを有し、この外周面１９ａには周方向に延びる複数の環状突起３２が形成されている。環状突起３２が入口枠３１の内周面３１ａを弾力的に押圧するようになっている。
【００２５】
また、板状パッキン１９には各電線４の被覆部を締め代をもって挿通させるための挿通孔３３が形成されている。具体的には、図６および図７を参照して、板状パッキン１９の挿通孔３３の内周には、周方向に延びる１ないし複数の環状突起３８が形成されている。これにより、板状パッキン１９が入口枠３１の内周面３１ａと電線４との間を封止する。板状パッキン１９を用いる簡単な構造にて電線通過部分の密封性を確保することができる。  上述したロック用の弾性アーム１１の基端１１ａがソケットハウジング１６の第２の部分２２において保持溝２０に隣接して配置され、弾性アーム１１はソケットコネクタ５のコネクタ連結方向Ｙと反対方向に延びている。弾性アーム１１の先端部１１ｂには解除操作部４３が設けられている。解除操作部４３は、両ハウジング７，１６間のロックを解除するときに指でロック解除方向（ソケットハウジング１６の第２の部分２２の前面に近づく方向）に押すように操作される。
【００２６】
上記の係止爪１２は弾性アーム１１の中間部の外面に突出するように形成されている。係止爪１２に含まれるロック用の係止面１２ａが、ベースハウジング７のロック部１３に含まれるロック用の係止面１３ａに、ソケットハウジング７の抜き方向に相対向して係止することより、両コネクタ３，５の抜け止めのためのロックが達成される。このロックは解除操作部４３を操作しない限り解除されない。図８に示すように、ソケットハウジング１６の入口枠３１からは、断面Ｌ字形形状をなす左右一対の保護枠３４が延設され、これらの保護枠３４は、解除操作部４３の左右の縁部が異物との接触等で不用意に操作されないように保護する働きをする。
【００２７】
図１０を参照して、ベースコンタクト９は、ベースハウジング７の底壁８の貫通孔８ａに圧入され自身の持つ係止突起を貫通孔８ａの内周に係止させて自身の抜け止めを達成している。
図１０およびベースコネクタ３の平面図である図１１を参照して、ベースハウジング７の底壁８には、隣接するベースコンタクト９，９間を互いに仕切る極間壁としての仕切り壁３９が一体に設けられている。また、仕切り壁３９はベースハウジング７の側壁４０と平行に延びており、コネクタ連結時にソケットコネクタ５の相隣接する筒状部２４間の嵌合溝４１（図７参照）に嵌め入れられる。仕切り壁によって隣接するベースコンタクト９，９間の沿面距離を稼ぎ、沿面放電等を確実に防止することができる。
【００２８】
仕切り壁３９は、その前半部３９ａの板厚が相対的に厚く、その後半部３９ｂの板厚が相対的に薄くなるようにされている一方、図示していないが、ソケットコネクタ５の筒状部２４間の嵌合溝４１はその前半部の溝幅が相対的に広く、後半部の溝幅が相対的に狭くされており、ソケットコネクタ５が前後逆にしてベースコネクタ３の嵌合凹部６に挿入されることを防止している。
【００２９】
また、ベースハウジング７の底壁８から側壁４０に沿うようにして２つの規制リブ４２が設けられている。ソケットコネクタ５の逆差し防止用の第３のリブ２８が後方へ偏るように配置されているのに対して、各規制リブ４２は前方へ偏るように配置されている。各規制リブ４２の頂部は、ソケットハウジング１６の逆差し時にソケットハウジング１６の第３のリブ２８の先端部を受けて逆差しを防止するための受け部４２ａを含んでいる。
【００３０】
図１０を参照して、逆差しを防止するための、仕切り壁３９および規制リブ４２は、底壁８からの高さがベースコンタクト９の高さよりも高くされており、逆差しによるベースコンタクト９の変形を確実に防止している。
本実施の形態によれば、環状のシール部材１８を保持溝２０に嵌めるために一対の筒状部２４に一括して被せて移動させるときに、筒状部２４の各リブ２５，２６，２８のみがシール部材１８の内周に当接することになり、シール部材１８への接触面積を減らせるので、シール部材１８を移動させ易い。
【００３１】
しかも、各リブ２５，２６，２８の頂部が保持溝２０の一側を区画する周側壁２３の頂部と面一をなすので、シール部材１８を各リブ２５，２６，２８により案内しながら引っ掛かることなくスムーズに保持溝２０に嵌め入れることができ、組み立て性が良い。このようにシール部材１８をソケットコネクタ５に装着したユニットをベースコネクタ３の嵌合凹部６に挿入すれば良いので、組み立て易い。
【００３２】
また、両コネクタ３，５の連結動作の初期に、ソケットコネクタ５の案内部としての各リブ２５，２６，２８をベースコネクタ３の嵌合凹部６に嵌合させることにより、両コネクタ３，５のハウジング７，１６同士を互いに位置決めすることができ、この位置決め状態で、シール部材１８を嵌合凹部６内にスムーズに挿入することができると共に両コネクタ３，５のコンタクト３，９同士をスムーズに連結することができる。従来の二重筒構造を採用しない簡素な構造にて、小型化を達成することができる。
【００３３】
また、上記ソケットハウジング１６のコネクタ連結方向Ｙの中間部に配置されたシール部材１８によって嵌合凹部６内が封止され、封止された嵌合凹部６内でベースコンタクト９が筒状部２４内に導入されるので、密封性を高くすることができる。また、シール部材１８をコネクタ連結方向Ｙの中間部に配置するので、コネクタ連結方向Ｙの先端側に配置する場合と比較して、小型化を達成することができる。
【００３４】
また、各リブ２５，２６，２８が周側壁２３のなす矩形の四隅の各Ｒ状部２９に隣接する部分にそれぞれ連なるので、シール部材１８を保持溝２０に嵌め入れる作業がより容易になる。
また、上記のようにシール部材１８の装着を案内するためのリブ２５，２６，２８に逆差し防止用の第３のリブ２８が含まれるので、構造を簡素化することができる。
【００３５】
また、ソケットコネクタ５の弾性アーム１１の係止爪１２をベースコネクタ３のロック部１３に係止させて、両コネクタ３，５を防水性が担保される連結状態に確実に維持しておくことができる。
本発明は上記実施の形態に限定されるものではなく、例えば、筒状部２４が３つ以上に分岐していて、仕切り壁３９が複数設けられていても良い。
【図面の簡単な説明】
【００３６】
【図１】本発明の一実施形態の防水コネクタの概略斜視図である。
【図２】防水コネクタを構成するベースコネクタおよびソケットコネクタの分解斜視図である。
【図３】防水コネクタの断面図である。
【図４】ソケットコネクタの分解斜視図である。
【図５】ソケットコネクタを斜め下方から見た斜視図である。
【図６】シール部材および板状パッキンが装着されたソケットハウジングの断面図である。
【図７】シール部材および板状パッキンが装着されたソケットハウジングの断面図である。
【図８】ソケットコネクタの平面図である。
【図９】ソケットハウジングの一部破断底面図である。
【図１０】ベースコネクタの断面図である。
【図１１】ベースコネクタの平面図である。
【符号の説明】
【００３７】
１    防水コネクタ
２    基板
２ａ  表面
３    ベースコネクタ（第１のコネクタ）
４    電線
５    ソケットコネクタ（第２のコネクタ）
６    嵌合凹部
７    ベースハウジング（第１のハウジング）
８    底壁
９    ベースコンタクト（第１のコンタクト）
９ａ  リード部
１０  入口枠（枠）
１１  弾性アーム
１２  係止爪
１３  ロック部
１６  ソケットハウジング（第２のハウジング）
１７  ソケットコンタクト（第２のコンタクト）
１８  シール部材
１９  板状パッキン
１９ａ  外周面
２１  第１の部分
２２  第２の部分
２３  周側壁
２４  筒状部
２５  第１のリブ（案内部。Ｒ状部に隣接する部分に連なるリブ）
２６  第２のリブ（案内部）
２８  第３のリブ（案内部。逆差し防止用のリブ。Ｒ状部に隣接する部分に連なるリブ）２９  Ｒ状部
３１  入口枠
３１ａ  内周面
３２  環状突起
３３  挿通孔
３４  保護枠
３６  外向突起
３７  内向突起
３８  環状突起
３９  仕切り壁
４０  側壁
４１  嵌合溝
４２  規制リブ
４２ａ  受け部
４３  解除操作部
Ｘ    前方
Ｙ    （第２のコネクタの）コネクタ連結方向
Ｚ    左右方向
【図１】
2005222816.tif 000003
【図２】
2005222816.tif 000004
【図３】
2005222816.tif 000005
【図４】
2005222816.tif 000006
【図５】
2005222816.tif 000007
【図６】
2005222816.tif 000008
【図７】
2005222816.tif 000009
【図８】
2005222816.tif 000010
【図９】
2005222816.tif 000011
【図１０】
2005222816.tif 000012
【図１１】
2005222816.tif 000013